(57)【要約】【課題】  市外局番が入力されていない場合に、自動的に電話装置側で市外局番を選定し付加する。【解決手段】  電話装置は、情報処理制御部１ａ、入力部２、マイク３、スピーカ４、ディスプレイ５、通信部６と、市外局番データ記憶部７、メモリ８とから構成される。通信部６は、電界強度検出部２１を有し、電界強度を情報処理制御部へ出力する。市外局番データ記憶部は、各無線基地局の通話エリアに対応する市外局番を格納する市外局番相関データベース１４と、無線基地局毎に付されたＩＤに対応して市外局番とともに無線基地局９の位置情報を含む市外局番エリアマップ情報を格納する市外局番相関補助データベース１５を備えている。情報処理制御部は、市外局番有無判定部１１、市外局番選定部１２ａ、市外局番付加部１３を有し、市外局番有無判定部が市外局番が入力されていないと判定したとき、捕捉している無線基地局のＩＤから、市外局番データ記憶部７を検索してＩＤに対応する市外局番を検索し、市外局番を選定する。【選択図】    図１
2005159748.tif 000002
【特許請求の範囲】
【請求項１】
無線基地局と接続して通信する電話装置において、
入力された電話番号が市外局番を含んでいるかどうかを判定する市外局番有無判定手段と、
電波を捕捉している前記無線基地局のＩＤを検出するＩＤ検出手段と、
前記無線基地局のＩＤと対応した市外局番のデータベースを記憶する第１の記憶手段と、
入力された前記電話番号が市外局番号を含んでいないとき、付加する市外局番を選定する市外局番選定手段と、
選定された市外局番を入力された前記電話番号に付加する付加手段とを備え、
前記市外局番選定手段は、現在捕捉している前記無線基地局のＩＤに基づいた市外局番を、前記第１の記憶手段から検索し選定することを特徴とする電話装置。
【請求項２】
さらに、前記無線基地局の電界強度を検出する電界強度検出手段を備え、
前記市外局番選定手段は、現在捕捉している前記無線基地局が複数のとき、前記電界強度の最大の無線基地局の前記ＩＤに対応する市外局番を選定することを特徴とする請求項１に記載の電話装置。
【請求項３】
前記市外局番選定手段は、現在捕捉している前記無線基地局が複数のとき、その各無線基地局の前記ＩＤに対応する市外局番の中で、もっとも多くの無線基地局に共通の市外局番を選定することを特徴とする請求項１に記載の電話装置。
【請求項４】
さらに、前記無線基地局の電界強度を検出する電界強度検出手段を備え、
前記市外局番選定手段は、現在捕捉している前記無線基地局が複数のとき、前記電界強度の最大の無線基地局の前記ＩＤに対応する市外局番を選定し、
その結果の前記ＩＤに対応する市外局番の候補が複数存在するときは、その各無線基地局の前記ＩＤに対応する市外局番の中で、もっとも多くの無線基地局に共通の市外局番を選定することを特徴とする請求項１に記載の電話装置。
【請求項５】
無線基地局と接続して通信する電話装置において、
入力された電話番号が市外局番を含んでいるかどうかを判定する市外局番有無判定手段と、
市外局番と、当該市外局番に対応するエリアマップを関連させて記憶する第２の記憶手段と、
入力された前記電話番号が市外局番号を含んでいないとき、付加する市外局番を選定する市外局番選定手段と、
選定された市外局番を入力された前記電話番号に付加する付加手段とを備え、
前記市外局番選定手段は、現在位置を検出する位置検出手段を有し、前記現在位置に基づいた市外局番を前記第２の記憶手段から検索し選定することを特徴とする電話装置。
【請求項６】
さらに、前記無線基地局の電界強度を検出する電界強度検出手段を備え、
前記位置検出手段は、電界強度に基づいて無線基地局までの距離を推定し、複数の無線基地局からの前記距離に基づいて現在位置を推定することを特徴とする請求項５に記載の電話装置。
【請求項７】
前記位置検出手段は、現在位置検出にＧＰＳ装置を用いることを特徴とする請求項５に記載の電話装置。
【請求項８】
無線基地局と接続して通信する電話装置において、
入力された電話番号が市外局番を含んでいるかどうかを判定する市外局番有無判定手段と、
市外局番と、当該市外局番に対応するエリアマップを関連させて記憶する第２の記憶手段と、
現在位置の移動の軌跡を記憶する移動履歴記憶手段と、
入力された前記電話番号が市外局番号を含んでいないとき、付加する市外局番を選定する市外局番選定手段と、
選定された市外局番を入力された前記電話番号に付加する付加手段とを備え、
前記市外局番選定手段は、前記移動履歴記憶手段に記憶された前記移動の軌跡の頻度高い軌跡に対応するエリアの市外局番を、前記第２の記憶手段から検索し選定することを特徴とする電話装置。
【請求項９】
無線基地局と接続して通信する電話装置において、
入力された電話番号が市外局番を含んでいるかどうかを判定する市外局番有無判定手段と、
市外局番と、当該市外局番に対応するエリアマップを関連させて記憶する第２の記憶手段と、
目的地までの経路を登録する経路記憶手段と、
入力された前記電話番号が市外局番号を含んでいないとき、付加する市外局番を選定する市外局番選定手段と、
選定された市外局番を入力された前記電話番号に付加する付加手段とを備え、
前記市外局番選定手段は、前記経路記憶手段に記憶された目的地までの経路に対応するエリアの市外局番を、前記第２の記憶手段から検索し選定することを特徴とする電話装置。
【請求項１０】
さらに、着信／発信電話番号、ユーザ登録電話番号、または一般加入電話番号の少なくともいずれか一つを格納する電話番号格納手段を備え、
前記市外局番選定手段は、選定された市外局番の候補を組み合わせた前記入力された電話番号を、さらに前記電話番号格納手段に格納された電話番号と比較し、一致した場合当該の市外局番を最終的に選定することを特徴とする請求項１から９のいずれか１に記載の電話装置。
【発明の詳細な説明】
【技術分野】
【０００１】
本発明は、電話装置に関し、特に無線基地局を経由して通話する電話装置に関する。
【背景技術】
【０００２】
携帯電話で回線をつなぐ際、同一市内に電話を掛ける場合でも、市外局番を付して電話番号を入力する必要がある。市外局番から入力するのは煩わしく、市外局番を入力しなくても無線基地局側で無線基地局の存在する場所の市外局番を追加して回線をつなぐ装置が提案されている。
しかしながら、無線基地局側で市外局番を追加する場合、無線基地局の端末のソフトウェアを更新する必要があり、無線基地局設置者に多大なコストが掛かる。
また、無線基地局側の市外局番自動付加のソフトウェアでバグが発生した場合、他の正確に市外局番から入力して接続しようとした利用者にも、通話不能などの迷惑を掛ける可能性があり、無線基地局側で市外局番を自動付加するという機能はなかなか実現できなかった。
このため、ナビゲーションシステムと接続して、ナビゲーションシステムの表示する画面上で、ユーザが画面上に表示された電話を掛けたい地域を選択して、メモリに記憶された対応する市外局番を読出して付加する電話装置が提案されている（特許文献１参照）。
【特許文献１】特開平１１−３１３１６９号公報
【発明の開示】
【発明が解決しようとする課題】
【０００３】
このような市外局番の付加方法では、ユーザが市外局番を記憶する必要がないという利便性はあるが、ユーザがナビゲーションシステムの表示画面を見て、画面にタッチして電話を掛けたい地域を指定入力する必要があり、タッチ画面スイッチを使用するので入力装置が高コストになる。
【０００４】
本発明は、上記の問題点を解決するために、市外局番の自動付加機能を備えた電話装置を提供することを目的とする。
【課題を解決するための手段】
【０００５】
このため、本発明は、無線基地局と接続して通信する電話装置において、入力された電話番号が市外局番を含んでいるかどうかを判定する市外局番有無判定手段と、電波を捕捉している無線基地局のＩＤを検出するＩＤ検出手段と、無線基地局のＩＤと対応した市外局番のデータベースを記憶する第１の記憶手段と、入力された電話番号が市外局番号を含んでいないとき、付加する市外局番を選定する市外局番選定手段と、選定された市外局番を入力された前記電話番号に付加する付加手段とを備え、市外局番選定手段は、現在捕捉している無線基地局のＩＤに基づいた市外局番を、第１の記憶手段から検索し選定するものとした。
【発明の効果】
【０００６】
本発明により、電話装置側で現在電波を捕捉している無線基地局のＩＤに対応付けられた市外局番を第１の記憶手段から検索して付加するので、無線基地局側のソフトウェアを改造することなく、電話装置側の変更だけで対応できる。
また、ユーザは、現在電波を捕捉している無線基地局の通話エリアをカバーする市外局番のエリア内の相手に電話をかけるとき、市外局番を入力する手間が省け便利である。
【発明を実施するための最良の形態】
【０００７】
以下本発明の実施の形態を実施例により説明する。
【実施例１】
【０００８】
図１は第１の実施例の電話装置のブロック構成図である。本実施例の電話装置は情報処理制御部１ａと、入出力インターフェースである入力部２、マイク３、スピーカ４、ディスプレイ５、通信部６と、市外局番データ記憶部７、メモリ８とから構成される。
【０００９】
入力部２は、テンキーを含む操作ボタン、スイッチから構成され、電話装置のスイッチオン、オフ、電話番号の入力、文字の入力、各種設定などの操作を可能としている。
マイク３、スピーカ４は通常の音声入力、出力を行い、ディスプレイ５は、入力電話番号の表示、着信電話番号の表示、メール文の表示、各種操作指示の提示などを行う。
通信部６は、無線基地局９（９ａ、９ｂ、９ｃ）からの受信電波の強度（以下「電界強度」と称す）を検出する電界強度検出部２１を有し、電界強度が通話可能な強度の場合、無線基地局９と通信し、入力され情報処理制御部１ａに一時記憶されたメール文、またはマイク３からの音声信号を、情報処理制御部１ａの制御に従い無線基地局９に発信する。また、無線基地局９からの信号を受信し情報処理制御部１ａへ送る。また、通信部６は、各無線基地局９の電界強度を情報処理制御部１ａへ出力する。
【００１０】
市外局番データ記憶部７は、無線基地局９毎に付されたＩＤに対応したデータとして、各無線基地局９の通話エリアに対応する市外局番を、読み出し可能に格納する市外局番相関データベース１４と、各無線基地局９の通話エリアの対応する市外局番が複数ある場合の補助検索用に、無線基地局９毎に付されたＩＤに対応して市外局番とともに無線基地局９の位置情報を含む市外局番エリアマップ情報を、読み出し可能に格納する市外局番相関補助データベース１５を備えている。
メモリ８は、発信電話番号および着信電話番号の履歴と、ユーザが前もって入力した登録電話番号を読み出し可能に格納する。
【００１１】
情報処理制御部１ａは、入力部２からの電話番号入力またはメモリ８に格納された電話番号からの選択により、通信部６を無線基地局９に接続させて、音声通信またはメール通信などの発信制御、逆に無線基地局９からの呼び出し信号に応じて、着信の通報、受信の制御を行う。また、着信電話番号、発信電話番号を履歴としてメモリ８に自動的に格納し、またユーザが入力部２を用いて入力した電話番号を登録電話番号としてメモリ８に格納する。
【００１２】
情報処理制御部１ａは、そのほかに入力された電話番号が市外局番を含んでいるかどうかを判定する市外局番有無判定部１１と、入力された電話番号に市外局番が含まれていないとき、自動的に付加すべき市外局番を選定する市外局番選定部１２ａと、選定またはユーザによって選択された市外局番を付加して通信部６に出力する市外局番付加部１３を備えている。
【００１３】
市外局番選定部１２ａは、電界強度検出部２１が所定の値以上の電界強度を検出した無線基地局９からの信号に含まれるＩＤを読み出し、付加する市外局番を選定するために、電界強度判定部３１ａ、位置推定部３１ｂ、メモリ検索部３１ｃを備え、必要に応じそれを用いて以下のような市外局番の検索、選定を行う。
（１）  無線基地局９のＩＤに対応する市外局番を市外局番相関データベース１４から検索し選定する。
（２）  複数の無線基地局９のＩＤが読み出し可能の場合は、電界強度検出部２１から出力された各無線基地局９の電界強度を電界強度判定部３１ａにおいて判定し、電界強度の高い無線基地局９のＩＤに基づいて、そのＩＤに対応する市外局番を市外局番相関データベース１４から検索する。
（３）  （２）で得られた市外局番の候補が複数存在する場合は、電波を捕捉しているより多くの無線基地局９に共通する市外局番を、市外局番相関データベース１４から検索し、選定する。
（４）  （１）から（３）の市外局番の検索、選定でも市外局番の候補が複数存在し、１つに絞り込めない場合に、位置推定部３１ｂにおいて、ユーザの現在位置と無線基地局９との間の距離を電界強度に基づき推定する。次に、位置推定部３１ｂにおいて、市外局番相関補助データベース１５から、電波を捕捉している各無線基地局９の市外局番エリアマップ情報を読出し、前述の複数の無線基地局９との距離から現在位置を推定する。次いで、市外局番選定部１２ａは、一番電界強度の強い無線基地局９の市外局番エリアマップ情報に基づき、推定現在位置から１００ｍ半径の円内の範囲がどの市外局番エリアに対応しているか判定し、市外局番を選定する。
なお、位置推定部３１ｂは、電界強度と距離の相関関係データを内蔵しており、電界強度から当該無線基地局９までの距離を推定する。
（５）  （４）の市外局番選定機能でも市外局番が複数存在し、１つに絞り込めない場合に、メモリ検索部３１ｃにおいて、メモリ８に記憶されている電話番号記録から、市内局番以下の電話番号が一致する電話番号を検索し、該当するものがあれば、その市外局番を選定する。
（６）  （５）までの検索、選定でも、市外局番を一つに絞り込めない場合は、市外局番候補をディスプレイ５に表示し、ユーザが入力部２を用いて、市外局番を選択または入力することを促す。
【００１４】
本実施例の作用を以下に説明する。
図２、図３は、市外局番選定の制御の流れを示すフローチャートである。この制御は情報処理制御部１ａにおけるプログラムとして実行される、
ステップ１０１では、ユーザが電話番号を入力完了したかどうかをチェックする。ユーザが入力部２を用いて数値を入力して所定の秒数が経過すると、電話番号入力完了と判定しステップ１０２に進む。そうでない場合はステップ１０１を繰り返す。
ステップ１０２では、市外局番有無判定部１１が、入力された電話番号が９桁以上のときは市外局番が入力されたと判定しステップ１１９に進む。入力された番号が９桁に満たない場合は、市外局番が入力されなかったとして、ステップ１０３に進み、以下、市外局番選定部１２ａにおいて市外局番の検索、選定を行う。
【００１５】
ステップ１０３では、市外局番選定部１２ａは、電界強度検出部２１によって所定以上の電界強度、つまり通話可能と判定した無線基地局９からの受信信号から、読み出した無線基地局９のＩＤが、１個かまたは複数捕捉されたかをチェックする。捕捉された無線基地局９のＩＤが１つのときはステップ１０４に進み、市外局番相関データベース１４からＩＤに対応する市外局番を検索する。
捕捉された無線基地局９のＩＤが１つの場合、例えば図４の（ａ）に示すようにＩＤが「ＩＤ−Ａ」である無線基地局９ａの通話エリア内は、一つの市外局番「０４６０」にだけ対応する地域であり、市外局番相関データベース１４には、無線基地局９のＩＤと市外局番の対応が、（ｂ）に示すように格納されており、受信された無線基地局９ａのＩＤの「ＩＤ−Ａ」に基づいて検索し、市外局番「０４６０」を選定する。ステップ１０４の後、ステップ１０９に進む。
【００１６】
捕捉された無線基地局９のＩＤが複数の場合は、ステップ１０５に進み、市外局番選定部１２ａは、電界強度検出部２１で測定した各無線基地局９の電界強度を、電界強度判定部３１ａにおいて比較し、電界強度の一番強い無線基地局９のＩＤを選定し、ステップ１０６で、当該のＩＤに対応する市外局番を市外局番相関データベース１４から検索する。
例えば図５の（ａ）に示すように、ＩＤが「ＩＤ−ＡＡＡ」、「ＩＤ−ＢＢＢ」、「ＩＤ−ＣＣＣ」の３つの無線基地局９ａ、９ｂ、９ｃの通話エリアが、市外局番「０４２」、「０４３」、「０４４」にそれぞれ対応しているとして、（ｂ）のような無線基地局９のＩＤと市外局番の対応が、市外局番相関データベース１４に格納されている。（ａ）中、同心円は各無線基地局９（９ａ、９ｂ、９ｃ）からの電界強度の等高線を示し、外側の円の位置では内側の円の位置よりも電界強度が弱いことを示す。
【００１７】
ここで、ユーザがＢ地点で電話を掛けると、前述の３つの無線基地局９が捕捉されるが、電界強度がもっとも強い無線基地局９ｂを選び、市外局番相関データベース１４から対応する市外局番「０４３」を選定する。
ステップ１０７では、ステップ１０６で検索された市外局番の候補が１個かまたは複数存在するかをチェックする。市外局番が１つのときは、ステップ１１８に進み、複数の場合はステップ１０８に進む。
【００１８】
ステップ１０８では、ステップ１０３で捕捉された無線基地局９の複数のＩＤに対応する市外局番の中で、ＩＤ間で一番多く共通する市外局番を選定する。
例えば図６の（ａ）に示すように、Ｃ地点で電話をかけて、３つの無線基地局９（９ａ、９ｂ、９ｃ）が捕捉されたとする。それらの無線基地局９のＩＤが「ＩＤ−ＡＡ」、「ＩＤ−ＢＢ」、「ＩＤ−ＣＣ」であり、その通話エリアがそれぞれ主に（ｂ）に示すように市外局番「０４５、０４６」、「０４５、０４６」、「０４５、０４７」に対応しているとして市外局番相関データベース１４に格納されている。（ａ）中の同心円は各無線基地局９からの電界強度の等高線を示す。
この場合、ステップ１０３で捕捉された複数の無線基地局９の中から最も強い電界強度の無線基地局９のＩＤに対応する市外局番を検索しても、市外局番相関データベース１４からは複数の市外局番の候補が選定される。その場合、ステップ１０８によって、（ｂ）において囲みで示すように、より多数の無線基地局９に対応付けられる市外局番「０４５」を、該当する市外局番として選定する。
【００１９】
ステップ１０９では、ステップ１０４または、ステップ１０８の検索、選定の結果において、市外局番の候補が１個かまたは複数存在するかをチェックする。
市外局番が一つに絞られた場合は、ステップ１１８に進み、そうでない場合はステップ１１０に進む。
ステップ１１０では、市外局番選定部１２ａは、位置推定部３１ｂにおいて以下のように現在位置の推定をおこなう。
先ず、位置推定部３１ｂは、捕捉している無線基地局９の電界強度に基づき、内蔵している電界強度と距離の相関データを用いて無線基地局９からの距離を推定する。
次に、ステップ１１１では、位置推定部３１ｂは、当該無線基地局９の市外局番エリアマップ情報を市外局番相関補助データベース１５から読み出し、各無線基地局９からの推定距離ＬＡ、ＬＢ、ＬＣの円の交点を求めることによって、現在位置Ｄ地点を推定する。
ステップ１１２では、市外局番選定部１２ａは、最も電界強度の強い無線基地局９の市外局番エリアマップ情報と、推定した現在位置に基づき、現在位置から半径１００ｍの円を含む市外局番エリアに対応する市外局番を選定する。
【００２０】
例えば、図７の（ａ）に示すような３つの無線基地局９（９ａ、９ｂ、９ｃ）に近いＤ地点における場合で例示すると、無線基地局９ａからの距離がＬＡ、無線基地局９ｂからの距離がＬＢ、無線基地局９ｂからの距離がＬＣと推定される。
（ｂ）には無線基地局９のＩＤと、その無線基地局９の通話エリアが含む市外局番の対応を示す。この例では、各無線基地局９の通話エリアは２ないし３個の市外局番に対応しており、電界強度が一番強い無線基地局９の市外局番、または各無線基地局９に一番多く共通する市外局番という選定方法では、市外局番を１つに絞れない。
（ａ）に示すＤ地点の場合、例えば「ＩＤ−ＸＡ」の無線基地局９ａの市外局番エリアマップ情報が使用され、そのマップ情報上のＤ地点から半径１００ｍの範囲に対応する市外局番として「０４４」が選定される。
【００２１】
ステップ１１３では、選定された市外局番の候補が、１個かまたは複数存在するかをチェックする。一つに絞られている場合はステップ１１８に進み、そうでない場合はステップ１１４に進む。
ステップ１１４では、市外局番選定部１２ａは、メモリ検索部３１ｃにおいて、ステップ１１２で選定された複数の市外局番の候補と入力された市内局番以下の電話番号を組み合わせた一連の市外局番からの電話番号の候補と、メモリ８に格納されている着信／発信履歴の電話番号、または登録電話番号である市外局番から記憶された電話番号とが一致するか比較する。
例えば、最初ユーザが入力部２を用いて、市外局番なしの電話番号「６５１２３４」を入力し、ステップ１１２までの段階で市外局番として「０４６７」、「０４６８」が候補として選定されており、また、メモリ８には、図８のような着信／発信履歴の電話番号、登録電話番号が市外局番から格納されているとする。
メモリ検索部３１ｃは、着信／発信履歴のＮｏ．２の「０４６８６５１２３４」と一致する市外局番「０４６８」を選定する。
【００２２】
ステップ１１５では、市外局番選定部１２ａは、ステップ１１４のメモリ８の電話番号との比較で、市外局番が判定できたかどうかをチェックする。判定できた場合はステップ１１８に進み、そうでない場合はステップ１１６に進む。
【００２３】
ステップ１１６では、市外局番選定部１２ａは、これまでの市外局番の検索、選定で残った複数の市外局番の候補を、ディスプレイ５に表示して、ユーザに入力部２を用いて選択または入力するように促す。図９は市外局番の候補と入力された市内局番以下の電話番号を組み合わせた一連の電話番号をディスプレイ５に提示して、ユーザに選択を促す例である。これで市外局番選定部１２ａの制御は終了してステップ１１７に進む。
ユーザが選択または入力すると、ステップ１１７では、市外局番付加部１３がユーザの選択または入力した市外局番を、入力された市内局番以下の電話番号に付加して、市外局番からの一連の電話番号を設定する。
【００２４】
これまでのステップ１０７、１０９、１１３、１１５で市外局番が１つに絞り込まれて選定できた後、ステップ１１８では、市外局番付加部１３が１つに選定された市外局番を、入力された市内局番以下の電話番号に付加して、市外局番からの一連の電話番号を設定する。
ステップ１１９で、情報処理制御部１ａは、設定された市外局番からの一連の電話番号でダイアルする。
【００２５】
本実施例の電界強度検出部２１は本発明の電界強度検出手段を、市外局番相関データベース１４は第１の記憶手段を、市外局番相関補助データベース１５は第２の記憶手段を、メモリ８は電話番号格納手段を構成する。またフローチャートのステップ１０２は本発明の市外局番有無判定手段を、ステップ１０３はＩＤ検出手段を、ステップ１０４〜１１６は市外局番選定手段を、ステップ１１７、１１８は付加手段を構成し、特にステップ１１０と１１１は位置検出手段を構成する。
【００２６】
以上のように本実施例によれば、市外局番を入力せずとも、現在位置を通話エリアに含む無線基地局９の通話エリアと市外局番エリアとの対応関係から、電話装置側で市外局番データ記憶部７の市外局番相関データベース１４、市外局番相関補助データベース１５、またはメモリ８の着信／発信履歴の電話番号、登録電話番号などを検索して、市外局番を自動的に選定して付加して電話するので、現在位置の市外局番を知らない場合、市外局番を入力し忘れた場合に便利である。
【００２７】
また、捕捉している無線基地局９が複数あり、それぞれの通話エリアが現在位置の市外局番のエリアと異なる市外局番を含む場合に、一番電界強度の強い、つまり一番近い無線基地局９のＩＤに対応する市外局番を選ぶので、現在位置の市外局番を自動選定する確度が高い。
また、電界強度の最も強い無線基地局９を選定しても、市外局番の候補が複数ある場合は、現在位置で捕捉している複数の無線基地局９に最も共通な市外局番を選定するので、市外局番のエリアの境界近くに無線基地局９が配置されている場合でも、現在位置に近い複数の無線基地局９の通話エリアに共通な市外局番を選定することになり、現在位置の市外局番を自動選定する確度が高い。
【００２８】
さらに、無線基地局９の電界強度に基づいて、当該の無線基地局９からの距離を推定し、市外局番相関補助データベース１５の無線基地局９の位置情報と市外局番エリアマップ情報から現在位置を推定する。その上で、現在位置の推定精度を考慮して、推定現在位置を中心とした例えば半径１００ｍの円内を含む市外局番エリアを判定して、市外局番を選定するので、市外局番エリアが行政区画の関係で境界が複雑な地域でも確度の高い市外局番の選定ができる。
それでも市外局番の候補が複数残った場合は、候補の市外局番と入力された市内局番以下の電話番号を組み合わせて一連の電話番号候補とし、メモリ８の着信／発信履歴の電話番号または登録電話番号と比較して市外電話番号を判定するので、確度の高い市外局番の選定ができる。
【００２９】
以上のように、電話装置側で現在捕捉している無線基地局９のＩＤに対応付けられた市外局番から市外局番を自動的に選定するので、無線基地局９側のソフトウエアを変えることなく、市外局番を自動付加できる。
【００３０】
なお、本実施例ではステップ１１０、１１１における現在位置の推定方法として無線基地局９の電界強度を利用するものとしたが、図１に示すような情報処理制御部１ａに接続したＧＰＳ装置１０を利用してもよい。
この場合、フローチャートのステップ１１０、１１１において、市外局番選定部１２ａはＧＰＳ装置１０で得られた位置情報を読み込み、ステップ１１２において最も電界強度の強い無線基地局９の市外局番エリアマップ情報を取得した後、市外局番エリアマップ情報に現在位置情報を照らして現在位置の市外局番を判定して選定する。
図１０に示す市外局番エリアマップの例では、現在位置がＧＰＳ装置１０によりＥ地点と特定され、当該の市外局番は「０４６８」に該当すると判定される。
【実施例２】
【００３１】
つぎに、本発明の第２の実施例を説明する。
図１１は、第２の実施例の電話装置のブロック構成図である。第１の実施例と同じ構成については、同じ符号を付して説明を省略する。情報処理制御部１ｂは、第１の実施例と同じく標準的な電話装置の情報処理制御機能を備えているが、第１の実施例とは市外局番選定部１２ｂが異なり、現在位置市外局番検索部３２ａ、沿道市外局番検索部３２ｂ、市外局番確認部３２ｃから構成されている。
さらに、本電話装置は各市外局番がカバーしているエリアを、位置情報と対応させたマップ情報として格納している市外局番エリアマップデータベース７’を備え、市外局番選定部１２ｂから読み出し可能に接続している。また、市外局番をも含んだ電話番号データベース１７を備え、市外局番選定部１２ｂから読み出し可能に接続している。この電話番号データベース１７は例えばハローページ（日本電信電話株式会社登録商標）に登録されている全国の電話番号を格納している。
なお全国の電話番号の代わりに、各地域別、例えば関東、中部の広域の、またはもう少し狭い県別の電話番号データベースでも良い。
また、情報処理制御部１ｂは、ナビゲーションシステム１６と接続し、ナビゲーションシステム１６はＧＰＳ装置１０、走行履歴記憶部２２、走行経路記憶部２３を備えている。
【００３２】
ナビゲーションシステム部１６のＧＰＳ装置１０は、現在位置を検出する通常の機能を備えている。走行履歴記憶部２２は、ユーザがナビゲーションシステム１６を起動した状態で走行し停止する毎に、その発進から停止までの走行区間と走行した日時時刻とその走行区間に対する累積走行時間を共に記憶する。同じ走行区間を繰り返し走行するときは、その走行区間の走行履歴の日時時刻とその累積走行時間だけを更新して記憶する。記憶されている走行区間の最新の記憶日時が所定日数以上経過したものは、走行履歴記憶部２２から自動的に消去される。
走行経路記憶部２３は、走行経路を登録して、ナビゲーションシステム１６によって道路案内させる通常のものである。
【００３３】
市外局番選定部１２ｂは、以下の手順で市外局番が入力されていないとき市外局番を選定する。
（１）  現在位置市外局番検索部３２ａにより、市外局番の選定を行う。
（１−１）  現在位置市外局番検索部３２ａは、ＧＰＳ装置１０が検出した現在位置の位置情報を読み出し、現在位置の位置情報に対応する市外局番エリアマップ情報を市外局番エリアマップデータベース７’から読み出す。続いて、現在位置を中心に１００ｍの半径の円を設定して、その円に含まれる領域に対応する市外局番を候補として選定する。
（１−２）  （１−１）の作業で選定された市外局番を付加した電話番号が電話番号データベース１７に登録されていなかった場合は、現在位置市外局番検索部３２ａは、現在位置の属する市外局番エリアに隣接する市外局番エリアの市外局番を候補として選定する。
（２）  （１）の作業で選定された市外局番を付加した電話番号が電話番号データベース１７に登録されていなかった場合は、沿道市外局番検索部３２ｂにより、市外局番の選定をおこなう。
（２−１）沿道市外局番検索部３２ｂは、走行履歴記憶部２２の走行履歴を検索して走行履歴の頻度の高い走行区間に対して、その走行区間の含まれる市外局番エリアを市外局番エリアマップデータベース７’で検索して、市外局番を選定する。
（２−２）  （２−１）の作業で選定された市外局番を付加した電話番号が電話番号データベース１７に登録されていなかった場合は、沿道市外局番検索部３２ｂは、走行経路記憶部２３の走行経路を検索して登録されている経路区間に対して、その経路区間の含まれる市外局番エリアを市外局番エリアマップデータベース７’で検索して、市外局番を選定する。
（３）  （１）から（２）までの市外局番の自動選定機能でも、市外局番が一つに絞り込めず、選定が出来ない場合は、市外局番候補をディスプレイ５に表示し、ユーザが入力部２を用いて、選択または入力することを促す。
【００３４】
本実施例の作用を以下に説明する。
図１２、図１３は、市外局番選定の制御の流れを示すフローチャートである。この制御は情報処理制御部１ｂにおけるプログラムとして実行される、
ステップ２０１、２０２は、第１の実施例のフローチャートのステップ１０１、１０２と同じである。市外局番が入力されたと判定した場合はステップ２１７に進む。市外局番が入力されていないと判定した場合はステップ２０３に進み、以下、市外局番選定部１２ｂにおいて市外局番の選定を行う。
【００３５】
ステップ２０３では、現在位置市外局番検索部３２ａが、ＧＰＳ装置１０が検出している現在位置の位置情報を取得する。
ステップ２０４では、現在位置市外局番検索部３２ａが、市外局番エリアマップデータベース７’から現在位置に基づいて、現在位置近傍の市外局番と対応させられた市外局番エリアマップ情報を読出し、現在位置を中心とした半径１００ｍの範囲がどの市外局番のエリアに属するかを検索する。
【００３６】
ステップ２０５では、市外局番確認部３２ｃが、ステップ２０４で検索した市外局番の候補に対して、入力された市内局番以下の電話番号部分と組み合わせて、電話番号データベース１７に登録されている電話番号の中から検索する。
ステップ２０６では、市外局番選定部１２ｂが、ステップ２０５の検索の結果、該当する電話番号が存在するかどうかをチェックする。存在する場合はステップ２１３に進み、存在しない場合はステップ２０７に進む。
【００３７】
例えば、ユーザが図１４の（ａ）に示すような市外局番と対応させたエリアマップ上の×印で表示されたＸ地点で、市外局番なしで「３４４１１２３」と電話番号を入力した場合、Ｘ地点を中心にした半径１００ｍの範囲が属する市外局番エリアを検索する。この場合半径１００ｍの範囲は全て市外局番「０６９」に属するので、市外局番の候補は「０６９」だけとなる。
つづいて、「０６９−３４４１１２３」の電話番号がユーザの電話したい相手であること、つまり選定された市外局番が適切かどうかを確認するため、電話番号データベース１７で、確認する。例えば電話番号データベース１７が（ｂ）に示すような電話番号を格納している場合、市外局番「０６９」の所に「３４４−１１２３」の電話番号が存在するので、ステップ２０６のチェックでは、電話番号は存在するということになる。
【００３８】
また、ユーザが図１５の（ａ）に示すような市外局番と対応させたエリアマップ上の×印で表示されたＹ地点で、市外局番なしで「３４４１１２３」と電話番号を入力した場合、Ｙ地点を中心にした半径１００ｍの範囲が属する市外局番を検索する。この場合、市外局番「０６６」、「０６７」、「０６９」の３つに跨るので、市外局番の候補はその３つ全てとなる。
つづいて、「０６６−３４４１１２３」、「０６７−３４４１１２３」、「０６９−３４４１１２３」の何れかの電話番号がユーザの電話したい相手であること、つまり選定された市外局番の候補のいずれが適切かどうかを確認するため、電話番号データベース１７で確認する。例えば電話番号データベース１７が（ｂ）に示すような電話番号を格納している場合、市外局番「０６７」と「０６９」の所に「３４４−１１２３」の電話番号が存在するので、この２つの市外局番が候補であり、ステップ２０６のチェックは、電話番号は存在するということになる。
【００３９】
ステップ２０７では、該当する電話番号が存在しないという結果を受けて、現在位置市外局番検索部３２ａが、現在位置の属する市外局番エリアの隣接エリアの市外局番を選定し、選定された市外局番の候補に対して、市外局番確認部３２ｃがステップ２０５と同じく電話番号が存在するかどうか検索する。
【００４０】
例えば、ユーザが図１６の（ａ）に示すような市外局番と対応させたエリアマップ上の×印で表示されたＺ地点で、市外局番なしで「３４４１１２３」と電話番号を入力した場合、Ｚ地点を中心にした半径１００ｍの範囲は市外局番「０６８」に属し、「０６８−３４４１１２３」の電話番号を電話番号データベース１７で確認した結果（ｂ）に示すように存在しない。
そこでステップ２０７において、隣接する市外局番「０６６」、「０６９」を市外局番エリアマップデータベース７’に基づいて選定して、電話番号データベース１７の市外局番「０６６」、「０６９」の所に「３４４−１１２３」の電話番号が存在するか検索し、「０６９−３４４−１１２３」を見つける。
【００４１】
ステップ２０８では、市外局番選定部１２ｂが、ステップ２０７で検索の結果、該当する電話番号が存在するかどうかをチェックする。存在する場合はステップ２１３に進み、存在しない場合はステップ２０９に進む。
ステップ２０９では、該当する電話番号が存在しないという結果を受けて、沿道市外局番検索部３２ｂが、走行履歴記憶部２２に記憶されている走行履歴に基づき、ユーザが最近走行した頻度の高い走行区間を読み出し、その走行区間が含まれる市外局番エリアを市外局番エリアマップデータベース７’で検索する。検索の結果選定された市外局番に対して、市外局番確認部３２ｃがステップ２０５と同じく電話番号を検索する。
【００４２】
例えば、ユーザが最近走行した頻度の高い走行区間が、図１７に示すような市外局番と対応させたエリアマップ上のＲで表示された領域内の走行区間ばかりであった場合、市外局番「０６８」、「０６９」が選定される。
ステップ２１０では、市外局番選定部１２ｂが、ステップ２０９で検索の結果、該当する電話番号が存在するかどうかをチェックする。存在する場合はステップ２１３に進み、存在しない場合はステップ２１１に進む。
【００４３】
ステップ２１１では、該当する電話番号が存在しないという結果を受けて、沿道市外局番検索部３２ｂが、走行経路記憶部２３に登録されている走行経路に基づき、ユーザが走行経路をナビゲーションシステムに登録して走行してきた経路区間またはこれから走行予定の経路区間を読み出し、当該経路区間が含まれる市外局番エリアを市外局番エリアマップデータベース７’から検索する。検索の結果選定された市外局番に対して、市外局番確認部３２ｃがステップ２０５と同じく電話番号を検索する。
【００４４】
例えば、ユーザが走行経路記憶部２３に登録した走行経路が、図１８に示すような市外局番と対応させたエリアマップ上のスタート点Ｓと目的地Ｇで表示された走行経路であった場合、市外局番「０６６」、「０６７」が選定される。
ステップ２１２では、市外局番選定部１２ｂが、ステップ２１１で検索の結果、該当する電話番号が存在するかどうかをチェックする。存在する場合はステップ２１３に進み、存在しない場合はステップ２１４に進む。
ステップ２１３では、ステップ２０４、２０５、またはステップ２０７、またはステップ２０９、またはステップ２１１で検索され選定された市外局番の候補が１個かまたは複数存在するかをチェックする。
選定された市外局番の候補が１つに絞られた場合は、ステップ２１６に進み、市外局番付加部１３が、選定された市外局番を入力された市内局番以下の電話番号に付加して、ステップ２１７に進む。選定された市外局番の候補が複数存在するときはステップ２１４に進む。
【００４５】
ステップ２１４では、これまでの市外局番選定で残った複数の市外局番候補を、例えば第１の実施例の図９のようにディスプレイ５に表示してユーザに入力部２を用いて選択するように促すか、または市外局番の選定ができなかったのでユーザに入力部２を用いて入力するように促す。
ステップ２１５では、市外局番付加部１３が、ユーザの選択した市外局番、またはユーザの入力した市外局番を付加すべき市外局番として設定する。
ステップ２１７では、情報処理制御部１ｂが、ステップ２０１、２０２で入力された市外局番からの一連の電話番号、またはステップ２１５、２１６で設定した市外局番からの電話番号でダイアルする。
【００４６】
本実施例の市外局番エリアマップデータベース７’は本発明の第２の記憶手段を、走行履歴記憶部２２は移動履歴記憶手段を、走行経路記憶部２３は経路記憶手段を、電話番号データベース１７は電話番号格納手段を構成する。またフローチャートのステップ２０２は本発明の市外局番有無判定手段を、ステップ２０３〜２１４は市外局番選定手段を、ステップ２１５、２１６は付加手段を構成し、特にステップ２０３は位置検出手段を構成する。
【００４７】
以上のように本実施例によれば、市外局番を入力せずとも、現在位置と市外局番エリアとの対応関係から、電話装置側で市外局エリアマップデータベース７’を検索して、市外局番を自動的に選定して付加して電話するので、現在位置の市外局番を知らない場合、市外局番を入力し忘れた場合に便利である。
【００４８】
さらに、ＧＰＳ装置１０による現在位置と市外局エリアマップデータベース７’に基づき、市外局番を選定できるので、捕捉できる無線基地局９が１つしかなく、その無線基地局９が複数の市外局番のエリアをカバーしているときでも、また市外局番エリアが行政区画の関係で境界が複雑な地域でも、確度の高い市外局番の選定ができる。
ＧＰＳ装置１０で現在位置を検出した上で、現在位置の精度を考慮して、現在位置を中心とした例えば半径１００ｍの円内を含む市外局番エリアを判定して、市外局番の選定をしているので確度の高い市外局番の選定ができる。
【００４９】
さらに、現在位置の属する市外局番エリアの市外局番番号では、電話番号が見つからない場合、隣接エリアの市外局番を選定するので、沿道広告の電話番号を見て、市外局番なしで入力しても、正しい隣接市外局番エリアの市外局番を自動選定して電話を掛けることができる。
また走行経路をナビゲーションシステムに設定して走行しているとき、現在位置の属する市外局番エリアの市外局番番号では、電話番号が見つからない場合、走行経路に沿った市外局番で検索してくれるので、沿道広告の電話番号を見て、市外局番なしで入力しても、正しい隣接市外局番エリアの市外局番を選定して電話を掛けることができる。
また、普段頻繁に移動している走行区間で電話を掛けている相手に、市外局番なしで電話を掛けても、現在位置の市外局番で電話番号が見つからない場合、走行履歴記憶部２２に記憶された頻度の高い走行区間に対し、対応する市外局番エリアの市外局番を選定するので、うっかり市外局番なしで電話しても確度の高い市外局番を選定して付加できる。
【００５０】
以上のように、電話装置側で市外局番を自動的に選定するので、無線基地局９側のソフトウェアを変えることなく、市外局番を自動付加できる。
【００５１】
なお、本実施例ではステップ２０３における現在位置の取得方法としてＧＰＳ装置１０を利用するものとしたが、第１の実施例のように無線基地局９の電界強度に基づき、無線基地局９からの距離を推定して、無線基地局９の位置情報を含む市外局番エリアマップ情報に基づいて現在位置を推定しても良い。
【図面の簡単な説明】
【００５２】
【図１】本発明の第１の実施例の構成を示すブロック図である。
【図２】第１の実施例の市外局番選定の制御の流れを示すフローチャートである。
【図３】第１の実施例の市外局番選定の制御の流れを示すフローチャートである。
【図４】無線基地局の通話エリアと市外局番エリアを示す図である。
【図５】無線基地局の通話エリアと市外局番エリアを示す図である。
【図６】無線基地局の通話エリアと市外局番エリアを示す図である。
【図７】無線基地局の通話エリアと市外局番エリアを示す図である。
【図８】メモリに格納されている着信／発進履歴の電話番号、登録電話番号を示す図である。
【図９】ユーザに市外局番の選択を促す表示画面例を示す図である。
【図１０】第１の実施例の変形例における無線基地局の通話エリアと市外局番エリアを示す図である。
【図１１】本発明の第２の実施例の構成を示すブロック図である。
【図１２】第２の実施例の市外局番選定の制御の流れを示すフローチャートである。
【図１３】第２の実施例の市外局番選定の制御の流れを示すフローチャートである。
【図１４】現在位置と市外局番エリアを示す図である。
【図１５】現在位置と市外局番エリアを示す図である。
【図１６】現在位置に対応する市外局番エリアに隣接する市外局番エリアを説明する図である。
【図１７】頻度の高い走行区間と市外局番エリアの関係を説明する図である。
【図１８】登録された走行経路と市外局番エリアの関係を説明する図である。
【符号の説明】
【００５３】
１ａ、１ｂ    情報処理制御部
２        入力部
３        マイク
４        スピーカ
５        ディスプレイ
６        通信部
７        市外局番データ記憶部
７’      市外局番エリアマップデータベース
８        メモリ
９ａ、９ｂ、９ｃ    無線基地局
１０      ＧＰＳ装置
１１      市外局番有無判定部
１２ａ、１２ｂ    市外局番選定部
１３      市外局番付加部
１４      市外局番相関データベース
１５      市外局番相関補助データベース
１６      ナビゲーションシステム
１７      電話番号データベース
２１      電界強度検出部
２２      走行履歴記憶部
２３      走行経路記憶部
３１ａ    電界強度判定部
３１ｂ    位置推定部
３１ｃ    メモリ検索部
３２ａ    現在位置市外局番検索部
３２ｂ    沿道市外局番検索部
３２ｃ    市外局番確認部
【図１】
2005159748.tif 000003
【図２】
2005159748.tif 000004
【図３】
2005159748.tif 000005
【図４】
2005159748.tif 000006
【図５】
2005159748.tif 000007
【図６】
2005159748.tif 000008
【図７】
2005159748.tif 000009
【図８】
2005159748.tif 000010
【図９】
2005159748.tif 000011
【図１０】
2005159748.tif 000012
【図１１】
2005159748.tif 000013
【図１２】
2005159748.tif 000014
【図１３】
2005159748.tif 000015
【図１４】
2005159748.tif 000016
【図１５】
2005159748.tif 000017
【図１６】
2005159748.tif 000018
【図１７】
2005159748.tif 000019
【図１８】
2005159748.tif 000020